(57)【要約】      （修正有）【課題】セグメント毎に仕切板の取り付け位置が変わっても、これに容易に対処することができるコンクリート中詰鋼製セグメント製造用治具を提供する。【解決手段】鋼製枠１と鋼製枠１内に打設されたコンクリートとから構成され、側枠１３の内面には、側枠１３に沿って余盛枠１６が取り付けられ、余盛枠１６の下面は、主桁４の内周面の外側ａに当接するコンクリート中詰鋼製セグメントを製造する際の、継手板用ボルトの締結作業用空間Ｓを形成するための治具において、仕切板１７に当てがわれるせき板１９と、せき板１９を進退させて、一方の継手板５ａとせき板１９との間隔を調整する間隔調整機構２０とを備え、せき板１９の上部は、余盛枠１６の高さと同一高さを有すると共に、余盛枠１６間の間隔と同じ長さを有し、せき板１９の下部は、主桁４間の間隔と同じ長さを有し、せき板１９の上部の両端下面は、主桁４の内周面の内側ｂに当接する。【選択図】図１
2015168986.tif 000002
【特許請求の範囲】
【請求項１】
鋼製枠と前記鋼製枠内に打設されたコンクリートとから構成され、前記鋼製枠は、一対の主桁と、前記主桁の両端部間に溶接された一対の継手板と、前記主桁の外周面に溶接されたスキンプレートと、前記主桁の外側に着脱可能に取り付けられる側枠と、一方の前記継手板側の前記主桁間に溶接された仕切板とを備え、前記側枠の内面には、前記側枠に沿って余盛枠が取り付けられ、前記余盛枠の下面は、前記主桁の内周面の外側に当接するコンクリート中詰鋼製セグメントを製造する際の、継手板用ボルトの締結作業用空間を形成するための治具において、
前記仕切板に当てがわれるせき板と、前記せき板を進退させて、前記一方の継手板と前記せき板との間隔を調整する間隔調整機構とを備え、前記せき板の上部は、前記余盛枠の高さと同一高さを有すると共に、前記余盛枠間の間隔と同じ長さを有し、前記せき板の下部は、前記主桁間の間隔と同じ長さを有し、前記せき板の上部の両端下面は、前記主桁の内周面の内側に当接することを特徴とするコンクリート中詰鋼製セグメント製造用治具。
【請求項２】
前記間隔調整機構は、前記せき板の前記一方の継手板側の面に固定されたねじ棒と、前記ねじ棒と螺合し、前記一方の継手板の内面に当接するナットとからなり、前記ナットを回すことによって、前記せき板を前記仕切板に密着させることを特徴とする、請求項１に記載のコンクリート中詰鋼製セグメント製造用治具。
【請求項３】
前記間隔調整機構は、前記せき板の前記一方の継手板側の面に固定された外管と、前記外管内にコイルばねを介して挿入された、前記一方の継手板の内面に当接する内管とからなり、前記コイルばねの弾性力によって、前記せき板を前記仕切板に密着させることを特徴とする、請求項１に記載のコンクリート中詰鋼製セグメント製造用治具。
【発明の詳細な説明】
【技術分野】
【０００１】
この発明は、コンクリート中詰鋼製セグメント製造用治具、特に、セグメントを周方向にリング状に連結する際に使用される継手板用ボルトの締結作業用空間を形成するためのコンクリート中詰鋼製セグメント製造用治具に関するものである。
【背景技術】
【０００２】
トンネル構築法の一つにシールド工法がある。シールド工法とは、立坑内に設置した掘進機を一定長さ掘進させる毎に、その後部で、例えば、円弧状のコンクリート中詰鋼製セグメント（既存の鋼製セグメントの鋼製枠(鋼殻)内にコンクリートを予め工場で中詰めさせたセグメントであるが、設計思想として、鋼材とコンクリートを強度的に相互補完しあった合成効果を有する、いわゆる、「合成セグメント」も含まれる。）を周方向にリング状に組み立ててセグメントリングを構築し、これを順次、延長させて円筒形の覆工を形成してシールドトンネルを構築する工法である。
【０００３】
コンクリート中詰鋼製セグメントは、強度が高く、しかも、内周面には、コンクリートの余盛部が形成されているので、シールド工法の際に行う必要がある二次覆工、すなわち、セグメントリングの内周面をコンクリートで被覆して仕上げる工事を省略することができるといった利点を有している。
【０００４】
コンクリート中詰鋼製セグメントを、図面を参照しながら説明する。
【０００５】
図４は、コンクリート中詰鋼製セグメントを示す概略斜視図、図５は、従来法によりコンクリート中詰鋼製セグメントを製造する場合の鋼製枠を示す概略斜視図、図６は、側枠を示す背面図、図７は、中子位置における主桁への側枠の取り付け構造を示す縦断面図、図８は、発泡スチロール製ブロックを示す斜視図である。
【０００６】
図４に示すように、コンクリート中詰鋼製セグメントは、鋼製枠１と鋼製枠１内に打設されたコンクリート２とから構成されている。
【０００７】
鋼製枠１は、補強材３（通常は、「縦リブ」と呼ばれている。：図５参照）により連結された一対の円弧状の主桁４と、主桁４の両端部間に溶接された一対の継手板５と、主桁４の外周面に溶接されたスキンプレート６とからなっている。
【０００８】
主桁４には、セグメントリングを軸方向に連結する主桁用ボルト（図示せず）のボルト孔７が形成され、継手板５には、セグメント同士を周方向にリング状に連結する継手板用ボルト（図示せず）のボルト孔８が形成されている。
【０００９】
図４に示すように、コンクリート２において、ボルト孔７に対応する箇所には、前記主桁用ボルトの締結作業用空間となる凹陥部９（通常は、「ボルトボックス」と呼ばれている。）が形成され、ボルト孔８に対応する位置には、前記継手板用ボルトの締結作業用空間となる凹陥部１０が形成されている。
【００１０】
コンクリート２には、上述した二次覆工用の余盛部１１が形成されている（図４参照）。
【００１１】
コンクリート中詰鋼製セグメントを製造するには、先ず、図５に示すような鋼製枠１を製作し、鋼製枠１内に凹陥部９を形成するための中子１２（図７参照）と、凹陥部１０を形成するための中子（図示せず）とを設置し、主桁４の外面に側枠１３をボルト孔７を利用してボルト１４により取り付け（図７参照）、側枠１３の両端部間に端部枠１５を取り付け（図５においては、側枠１３の一方の端部間の端部枠１５のみが記載されている。）、鋼製枠１内にコンクリートを打設し、そして、コンクリート硬化後、側枠１３および端部枠１５を取り外していた。
【００１２】
図６に示すように、側枠１３の内面には、余盛部１１を形成するための余盛枠１６が側枠１３に沿って取り付けられている。余盛枠１６の板厚は、図７に示すように、主桁４の板厚より薄く形成されているので、余盛枠１６の下面は、主桁４の内周面の外側に係合する。主桁４の内周面の外側を、図５、図７において、（ａ）で示す。
【発明の概要】
【発明が解決しようとする課題】
【００１３】
コンクリート中詰鋼製セグメントは、上述したように製造されているが、以下のような問題があった。
【００１４】
シールドトンネルの曲線部に対応するために、幅が狭いコンクリート中詰鋼製セグメントを製造する必要性があった。即ち、曲線部の曲率により近似させる必要があるからである。図４中、セグメントの幅をＷ、セグメントの高さをＨで示す。例えば、幅が３０ｃｍのコンクリート中詰鋼製セグメントを上記方法により製造する場合には、幅が狭すぎて、継手板用ボルトの締結作業を可能にする凹陥部１０を形成するための中子の設置が行えない。
【００１５】
このために、従来は、図５に示すように、鋼製枠１の一方の継手板５ａ側の主桁４間を仕切板１７により仕切り、一方の継手板５ａと仕切板１７との間の空間に、図８に示すような、余盛高さを有する発泡スチロール製ブロック１８を嵌め込んで、コンクリートを打設していた。
【００１６】
しかし、以下のような問題があった。
【００１７】
（ａ）ブロック１８の一部は、主桁４の内周面（板厚部）の内側に載せる必要があるので、ブロック１８の上部両側には、段部１８ａが形成されている。主桁４の内周面の内側を、図５、図７において、（ｂ）で示す。しかし、ブロック１８は、発泡スチロール製であるために、段部１８ａ部分が欠損し易く、この結果、ブロック１８の反復使用が困難である。
【００１８】
（ｂ）仕切板１７の取り付け位置は、コンクリート中詰鋼製セグメント毎に若干、異なる。この結果、コンクリート中詰鋼製セグメントによっては、ブロック１８と仕切板１７との間に隙間が生じる場合がある。この問題を解決するには、コンクリート中詰鋼製セグメント毎にブロック１８を用意する必要があるので、コストがかかる。
【００１９】
従って、この発明の目的は、コンクリート中詰鋼製セグメント毎に仕切板の取り付け位置が変わっても、これに容易に対処することができる、セグメントを周方向にリング状に連結する際に使用される継手板用ボルトの締結作業用空間を形成するためのコンクリート中詰鋼製セグメント製造用治具を提供することにある。
【課題を解決するための手段】
【００２０】
この発明は、上記目的を達成するためになされたものであって、下記を特徴とする。
【００２１】
請求項１に記載の発明は、鋼製枠と前記鋼製枠内に打設されたコンクリートとから構成され、前記鋼製枠は、一対の主桁と、前記主桁の両端部間に溶接された一対の継手板と、前記主桁の外周面に溶接されたスキンプレートと、前記主桁の外側に着脱可能に取り付けられる側枠と、一方の前記継手板側の前記主桁間に溶接された仕切板とを備え、前記側枠の内面には、前記側枠に沿って余盛枠が取り付けられ、前記余盛枠の下面は、前記主桁の内周面の外側に当接するコンクリート中詰鋼製セグメントを製造する際の、継手板用ボルトの締結作業用空間を形成するための治具において、前記仕切板に当てがわれるせき板と、前記せき板を進退させて、前記一方の継手板と前記せき板との間隔を調整する間隔調整機構とを備え、前記せき板の上部は、前記余盛枠の高さと同一高さを有すると共に、前記余盛枠間の間隔と同じ長さを有し、前記せき板の下部は、前記主桁間の間隔と同じ長さを有し、前記せき板の上部の両端下面は、前記主桁の内周面の内側に当接することに特徴を有するものである。
【００２２】
請求項２に記載の発明は、請求項１に記載の発明において、前記間隔調整機構は、前記せき板の前記一方の継手板側の面に固定されたねじ棒と、前記ねじ棒と螺合し、前記一方の継手板の内面に当接するナットとからなり、前記ナットを回すことによって、前記せき板を前記仕切板に密着させることに特徴を有するものである。
【００２３】
請求項３に記載の発明は、請求項１に記載の発明において、前記間隔調整機構は、前記せき板の前記一方の継手板側の面に固定された外管と、前記外管内にコイルばねを介して挿入された、前記一方の継手板の内面に当接する内管とからなり、前記コイルばねの弾性力によって、前記せき板を前記仕切板に密着させることに特徴を有するものである。
【発明の効果】
【００２４】
この発明によれば、主桁間に溶接された仕切板に当てがわれるせき板を進退可能に構成することによって、セグメント毎に仕切板の取り付け位置が変わっても、これに容易に対処することができるコンクリート中詰鋼製セグメント製造用治具を提供することができる。
【図面の簡単な説明】
【００２５】
【図１】この発明の治具が設置された鋼製枠を示す概略斜視図である。
【図２】この発明の治具が設置された鋼製枠を示す平面図である。
【図３】この発明の治具が設置された鋼製枠を示す正面図である。
【図４】コンクリート中詰鋼製セグメントを示す概略斜視図である。
【図５】従来法によりコンクリート中詰鋼製セグメントを製造する場合の鋼製枠を示す概略斜視図である。
【図６】側枠を示す背面図である。
【図７】中子位置における主桁への側枠の取り付け構造を示す縦断面図である。
【図８】発泡スチロール製ブロックを示す斜視図である。
【図９】他の間隔調整機構を示す概略斜視図である。
【発明を実施するための形態】
【００２６】
この発明のコンクリート中詰鋼製セグメント用治具の一実施態様を、図面を参照しながら説明する。
【００２７】
図１は、この発明の治具が設置された鋼製枠を示す概略斜視図、図２は、この発明の治具が設置された鋼製枠を示す平面図、図３は、この発明の治具が設置された鋼製枠を示す正面図である。
【００２８】
図１から図３に示すように、この発明の治具（説明の便宜上、以下「治具Ａ」と称す。）は、コンクリート中詰鋼製セグメントを製造する際の、継手板用ボルトの締結作業用空間（Ｓ）を形成するためのものである。
【００２９】
コンクリート中詰鋼製セグメントは、上述した通りであるので、簡単に説明する。
【００３０】
コンクリート中詰鋼製セグメントは、鋼製枠１と鋼製枠１内に打設されたコンクリート（図４参照）とから構成されている。鋼製枠１は、一対の主桁４と、主桁４の両端部間に溶接された一対の継手板５と、主桁４の外周面に溶接されたスキンプレート６と、主桁４の外側に着脱可能に取り付けられる側枠１３と、一方の継手板５ａ側の主桁４間に溶接された仕切板１７とを備えている。側枠１３の内面には、側枠１３に沿って余盛枠１６が取り付けられ、余盛枠１６の下面は、主桁４の内周面の外側に当接するものから構成されている。
【００３１】
この他、図５におけると同一番号は、同一物を示す。
【００３２】
この発明の治具Ａは、仕切板１７に当てがわれるせき板１９と、せき板１９を進退させて、一方の継手板５ａとせき板１９との間隔を調整する間隔調整機構２０とからなっている。
【００３３】
せき板１９の上部は、余盛枠１６の高さと同一高さを有すると共に、余盛枠１６,１６間の間隔と同じ長さを有する。せき板１９の下部は、主桁４,４間の間隔と同じ長さを有し、せき板１９の上部の両端下面は、主桁４の内周面の内側（ｂ）に当接する。せき板１９の上部の両端下面を、図１において、（ｃ）で示す。
【００３４】
間隔調整機構２０は、せき板１９の一方の継手板５ａ側の面に固定されたねじ棒２１と、ねじ棒２１と螺合し、一方の継手板５ａの内面に当接するナット２２とからなっている。ナット２２を回転させることによって、ねじ棒２１が進退し、これによって、せき板１９も進退する。この結果、セグメント毎に仕切板１７の取り付け位置が変わっても、常に、一台の間隔調整機構２０によって、継手板用ボルトの締結作業用空間（Ｓ）を形成することが可能となる。
【００３５】
この発明の治具Ａを使用してコンクリート中詰鋼製セグメントを製造するには、図１に示すように、この発明の治具Ａを一方の継手板５ａと仕切板１７との間に設置し、ナット２２を手等で回転させて、せき板１９を仕切板１７に密着させる。
【００３６】
このようにして、この発明の治具Ａを設置したら、せき板１９と端部枠１５との間の鋼製枠１内にコンクリートを打設する。そして、コンクリート硬化後、この発明の治具Ａ、側枠１３および端部枠１５を取り外す。
【００３７】
一方の継手板５ａと仕切板１７との間に形成された空間（Ｓ）内には、シールドトンネル施工時において、セグメントリングを組立てた後（ボルト締め後）、コンクリートを打設する。
【００３８】
以上、説明したように、この発明によれば、従来の発泡スチロール製ブロック１８のように欠損の恐れがないので、反復使用が可能である。
【００３９】
また、この発明によれば、せき板１９を自在に移動することができるので、セグメント毎に仕切板１７の取り付け位置が変わっても、これに容易に対処することができる。
その結果、コンクリート中詰鋼製セグメントの製造能率が向上し、その品質も安定する。
【００４０】
なお、間隔調整機構２０は、ねじ棒とナットによる構造以外のものでも良い。例えば、図９に示すように、せき板１９に固定した外管２３と、外管２３内にコイルばね２４を介して挿入された内管２５とからなり、コイルばね２４の弾性力によって、せき板１９を仕切板１７に密着させる構造であっても良い。
【００４１】
内管２５は、必ずしも中空の管体でなくても良く、いわゆる中実の柱体でも機能上使用できる。また、その材質は鋼製でなくても良く、アルミニウム等の金属製、若しくは硬質プラスチック製等でも良い。
【００４２】
さらに、コイルばね２４の弾性力を増すため、図示をしないが、間隔調整機構２０を複数並列にせき板１９に設けても良い。
【符号の説明】
【００４３】
Ａ：この発明の治具
１：鋼製枠
２：コンクリート
３：補強材（縦リブ）
４：主桁
５：継手板
５a：一方の継手板
６：スキンプレート
７：ボルト孔
８：ボルト孔
９：凹陥部（ボルトボックス）
１０：凹陥部
１１：余盛部
１２：中子
１３：側枠
１４：ボルト
１５：端部枠
１６：余盛枠
１７：仕切板
１８：ブロック
１９：せき板
２０：間隔調整機構
２１：ねじ棒
２２：ナット
２３：外管
２４：コイルばね
２５：内管
【図１】
2015168986.tif 000003
【図２】
2015168986.tif 000004
【図３】
2015168986.tif 000005
【図４】
2015168986.tif 000006
【図５】
2015168986.tif 000007
【図６】
2015168986.tif 000008
【図７】
2015168986.tif 000009
【図８】
2015168986.tif 000010
【図９】
2015168986.tif 000011